(57)【要約】【課題】  シャワーヘッドの美観を損なわせず、また、カバー自体や本体側にカバーを螺合するためのねじ部を設けることが困難な場合にも、確実・堅固にカバーを固定することのできるシャワーヘッドのカバーの固定構造を提供すること。【解決手段】  シャワーヘッド１の本体２にシャワーフェイス７０等の内蔵部品を装着するとともに、シャワーフェイスカバー８０を本体２に固定するために、シャワーフェイスカバー８０の上下方向において、係止孔８８が本体２の係止突起９に、係止突起９０が本体２の係止孔２０に係止固定されるとともに、左右方向において、係止孔８２がシャワーフェイス７０の係止突起７８に係止固定されるものとした。    【選択図】    図１
2007312829.tif 000002
【特許請求の範囲】
【請求項１】
シャワーヘッドの本体にインナー等の内蔵部品を装着するとともに、カバーを前記本体に固定するためのシャワーヘッドのカバーの固定構造であって、前記カバーが、前記本体に係止固定されるとともに、前記内蔵部品にも係止固定されることを特徴とするシャワーヘッドのカバーの固定構造。
【請求項２】
前記内蔵部品が、前記シャワーヘッドの外部に露呈されることを特徴とする請求項１に記載のシャワーヘッドのカバーの固定構造。
【請求項３】
前記カバーと前記本体との係止方向と、前記カバーと前記内蔵部品との係止方向とを異ならせたことを特徴とする請求項１又は請求項２に記載のシャワーヘッドのカバーの固定構造。
【発明の詳細な説明】
【技術分野】
【０００１】
本発明は、シャワーヘッドのカバーの固定構造に関する。
【背景技術】
【０００２】
従来、シャワーヘッドのカバーの固定構造には、以下のようなものが知られている。図３に示すものは、「カバー」の一例であるシャワーフェイス１００をねじ１０２を用いてシャワーヘッド１０４の本体１０６側に固定するものである。また、図４に示すものは、シャワーフェイス１０８自体を本体１０６側に螺合して固定するものであり、シャワーフェイス１０８の外側面に雄ねじ部を刻設し、本体１０６側に、この雄ねじ部と螺合する雌ねじ部を刻設し（雄ねじ部を本体１０６側に、雌ねじ部をシャワーフェイス１０８側に設ける例もある。）、両者を固定させるものである（例えば、特許文献１及び特許文献２参照。）。
【０００３】
【特許文献１】実開平５−９６５９号公報（図１）
【特許文献２】特開２００１−２２０７８５号公報（図１）
【発明の開示】
【発明が解決しようとする課題】
【０００４】
上記した従来の第一の固定構造では、シャワーフェイス１００表面にねじ１０２が露呈するため、シャワーヘッド１０４の見栄えが非常に悪い。また、従来の第二の固定構造では、シャワーフェイス１０８又は本体１０６側にねじ部が設けられない場合には利用できない。特に、図４のシャワーヘッド１０４のようにシャワーフェイス１０８が真円形状であれば、ねじを締め切った位置によってシャワーフェイス１０８の向きが問題となることはないが、近年増加している平面視矩形や長円形状のシャワーフェイスでは、ねじを締めきった位置でのシャワーフェイスの向きが問題となる。そして、例えば、ねじを締めきった位置でシャワーフェイスの長手方向をヘッド部側の長手方向と一致させるようにねじ部を刻設することは、非常に困難である。
【０００５】
本発明は上記した従来のシャワーヘッドのカバーの固定構造の問題点を解消するものであり、シャワーヘッドの美観を損なわせず、また、カバー自体や本体側にカバーを螺合するためのねじ部を設けることが困難な場合にも、確実・堅固にカバーを固定することのできる固定構造の提供を目的とする。
【課題を解決するための手段】
【０００６】
以上の課題を解決するために、本発明の採った手段を以下に説明する。本発明のシャワーヘッドのカバーの固定構造は、シャワーヘッドの本体にインナー等の内蔵部品を装着するとともに、カバーを前記本体に固定するためのシャワーヘッドのカバーの固定構造であって、前記カバーが、前記本体に係止固定されるとともに、前記内蔵部品にも係止固定されることを特徴とするシャワーヘッドのカバーの固定構造である（請求項１）。
【０００７】
本発明によれば、ねじを取り付けないのでシャワーヘッドの美観を損ねないとともに、カバーの向きが問題となるなど、カバー、内蔵部品又は本体にねじ部を設けて螺合させることが困難な場合であっても、カバーの向きを本体側に対応させつつ、本体・内蔵部品のそれぞれに対して係止固定することにより確実・堅固にカバーを固定することができる。
【０００８】
本発明に言う「カバー」は、別体のシャワーフェイスを本体に固定するためのもののほか、それ自体がシャワーフェイスを備えるものなどを含む。「内蔵部品」は、例示したインナーなどのほか、パイプなどの流路部材そのほか、シャワーヘッドの本体に装着される全ての部品を含む。「係止固定」を行う手段としては、「凸部」「凹部」などを例示できる。シャワーヘッドの「本体」とは、「カバー」及び「内蔵部品」を除く全てのシャワーヘッドの部位を言う。
【０００９】
また、前記内蔵部品が、シャワーヘッドの外部に露呈されるものに適用することとしても良い（請求項２）。
【００１０】
カバーを内蔵部品にも係止固定することにより、カバーと内蔵部品の密着性が高まる。ここで、内蔵部品がシャワーヘッドの外部に露呈される場合、カバーと内蔵部品との間に隙間が生ずるとシャワーヘッドの美観が損なわれるおそれがあるが、本発明を適用することにより、カバーと内蔵部品との密着性が高まるので、このような隙間が生ずるおそれを減少させることができる。
【００１１】
また、カバーと本体との係止方向と、カバーと内蔵部品との係止方向とを異ならせたものとすることとしても良い（請求項３）。
【００１２】
このように、過ってシャワーヘッドを落下させてしまった場合などにも、例えば、カバーと本体との係止をシャワーヘッド縦方向に、カバーと内蔵部品との係止をシャワーヘッド横方向に、それぞれ異なる方向において係止させることにより、カバーに特定方向から力が加わっても全ての係止が解除され難くすることができる。「方向を異ならせ」るとは、この例のように直交する方向に異ならせることのみならず、他の角度で異ならせることも含む。「係止方向」とは、係止突起や係止孔などの手段が固定・解除される際の、これらの手段の移動方向を意味する。
【発明の効果】
【００１３】
本発明は上記のように構成されているので、シャワーヘッドの美観を損ねることなく、矩形形状のカバーなど、ねじ部を設けて本体に固定することが困難なカバーを確実・堅固に本体に固定することができる。また、特に請求項２の固定構造では、カバーと内蔵部品との密着性を高めることができるので、美観をより一層向上させることもできる。また、請求項３の固定構造では、落下時など強い力が加わった場合でもカバーが容易には外れず、より一層確実・堅固にカバーを固定することができる。
【発明を実施するための最良の形態】
【００１４】
次に、本発明のシャワーヘッドのカバーの固定構造の実施の形態を図を参考にして詳細に説明する。図１及び図２に示すのは、シャワーヘッド１の本体２に固定される「カバー」の一例であるシャワーフェイスカバー８０をシャワーヘッド１の本体２に固定するための固定構造Ｘである。シャワーヘッド１全体は、ヘッド部４がやや屈曲形成された縦長の有底筒状に形成されており、その断面が長円形状に形成されて全体として扁平な形状に形成されている。シャワーヘッド１には、前述したシャワーフェイスカバー８０の他に、本発明に言う「内蔵部品」の一例であるシャワーフェイス７０と、インナー５０と、シャワーヘッド１の本体２とが備えられている。また、図２に示すように、本体２の把持部３内には、本体２のヘッド部４方向に湯水を供給するためのパイプ３０と、このパイプ３０を把持部３基端側内に収容固定するジョイント１０が備えられている。そしてこのジョイント１０の基端側の接続口１８には、図示しないシャワーホースが接続されて、シャワーヘッド１に湯水が供給される。
【００１５】
図２に示すように、ジョイント１０は、断面が長円形状の円筒状に形成されており、シャワーヘッド１の本体２の把持部３内に摺接嵌合する形状に形成され、把持部３内に収容保持可能に設けられている。ジョイント１０の基端側にはジョイント１０の本体外径よりも小径に形成された周溝１２が設けられている。また、先端側の端部には、後述するパイプ３０の突条４０が嵌合する凹部１３が設けられている。凹部１３は、ジョイント１０の断面短手方向の対向する位置に二つ、それぞれジョイント１０の軸心方向に沿って所定の長さに凹設されている。
【００１６】
また、周溝１２が設けられた部位よりもやや先端側のジョイント１０内部には、パイプ３０の基端側接続部３２が挿嵌接続可能に設けられた接続口１４が形成されている。接続口１４の奥側内周面には内方向に突設された突起１６が設けられており、パイプ３０が接続口１４に挿嵌接続される際には、パイプ３０基端側の端面がこの突起１６に係止されることにより、接続口１４の挿通方向におけるパイプ３０の位置決めがなされる。また、周溝１２よりも基端側のジョイント１０の外周面には、係止突条１７が突設されており、ジョイント１０が把持部３内に挿嵌される際に、係止突条１７が把持部３基端側の段部８に係止されることにより、把持部３の軸心方向におけるジョイント１０の位置決めがなされる。また、ジョイント１０の基端側には、図示しないシャワーホースの接続金具が固定可能に設けられた接続口１８が設けられている。
【００１７】
パイプ３０は、把持部３に対して屈曲形成されたヘッド部４内に取り付けられるインナー５０の接続部５２の挿嵌方向に沿うように、先端に、屈曲形成された屈曲部３４を備えた筒状の全体形状に形成されている。また、基端側接続部３２外周面には、前述したジョイント１０の接続口１４との水密を図るシール部材３３が、先端側接続部３５外周面には、インナー５０の接続部５２との水密を図るシール部材３３がそれぞれ取り付けられている。また、屈曲部３４の基端外周面には、屈曲部３４が挿嵌接続される接続部５２に対して、挿嵌方向における位置決めを行うために、接続部５２端面に当接可能な突条３６が周設されている。
【００１８】
また、パイプ３０のストレート部３８のほぼ中央付近外周面の上下には、前述したジョイント１０の凹部１３と嵌合する突条４０が、ストレート部３８の軸心方向に沿ってそれぞれ突設されている。また、その高さは、二つの対向する突条４０の先端がジョイント１０の短手方向における外周面の距離と同じになるとともに、また同時に、シャワーヘッド１の把持部３内周面間の距離と同じになるように設けられており、把持部３内周面に当接して把持部３を支持し、把持部３を、その短手方向において補強することができるように設けられている。
【００１９】
そして、図２に示すように、ジョイント１０及びパイプ３０は、前述したように、パイプ３０の基端側接続部３２がジョイント１０の接続口１４に挿嵌接続されるとともに、突条４０が凹部１３に嵌合されることによりジョイント１０に対するパイプ３０の軸心周り方向の位置決めがなされつつ、固定される。
【００２０】
図２に示すように、このようにして固定されたパイプ３０とジョイント１０は、パイプ３０先端側よりシャワーヘッド１の把持部３基端側の開口部７から把持部３内に挿嵌される。ジョイント１０は、開口部７奥側に収容保持されるが、この際に、把持部３の取付孔５よりブッシュ１１が周溝１２に嵌合取り付けされて、把持部３に対するジョイント１０の抜け止めを行う。
【００２１】
また、図１にも示すように、シャワーヘッド１の本体２の先端側のヘッド部４は、把持部３に対して若干屈曲形成されているが、このヘッド部４の屈曲形成された部位の内側面には、インナー５０などが収容される収容室６が開口されており、インナー５０などは、この収容室６に収容される。
【００２２】
次いで、図１を参照して、インナー５０、シャワーフェイス７０及びシャワーフェイスカバー８０について説明する。インナー５０は、横断面がほぼ長円形状の円筒状の全体形状に形成されており、その下面には、前述したパイプ３０の先端側が挿嵌接続される接続部５２が突設されている。また、接続部５２寄りのインナー５０の軸心周り外周面には、インナー５０に被せられるシャワーフェイス７０との水密を図るためのシール部材５４が装着されている。また、インナー５０の側面には、ストレーナ５６を取付固定するために僅かに凹設された矩形状の凹部５８が形成されている。そして、この凹部５８の中央付近に開口部６０が開設されている。開口部６０は、インナー５０外側に向けて、縦長のほぼ矩形形状に開設されている。
【００２３】
シャワーフェイス７０は、横断面がほぼ長円形状の円筒状の全体形状に形成されており、内部にインナー５０を収容保持可能に、インナー５０が底部開口部７２から挿嵌可能な有底円筒状に形成されている。シャワーフェイス７０の正面側には長円形状のフェイス部７４が正面側に突設されている。本実施の形態では、このフェイス部７４が、後述するシャワーフェイスカバー８０の開口部８４から、シャワーヘッド１の外部に露呈されるように設けられている。このフェイス部７４には６５個の散水孔７６がほぼ均一に配設されており、散水孔７６全体も細長のほぼ長円形状に配設されている。また、このフェイス部７４を挟んだシャワーフェイス７０の本体の左右には、上下にそれぞれ、後述するシャワーフェイスカバー８０の係止孔８２に係止する「凸部」形状の係止突起７８が設けられている。このように、本実施の形態では、シャワーフェイスカバー８０が固定されるシャワーフェイス７０が本発明に言う「内蔵部品」に該当する。そして、ストレーナ５６を取り付けられたインナー５０がシャワーフェイス７０に挿嵌され、これらが一体となったものが、ヘッド部４の開口部７から収容室６内へ収容されつつ、インナー５０の接続部５２内にパイプ３０の先端部が挿嵌接続される。
【００２４】
シャワーフェイスカバー８０は、横断面がほぼ長円形状の円筒を縦方向に半割した全体形状に形成されており、前述したシャワーフェイス７０のフェイス部７４側に被覆可能な形状に設けられている。シャワーフェイスカバー８０の正面側中央には、フェイス部７４が嵌合かつ露呈可能に開設された長円形状の開口部８４が形成されている。
【００２５】
また、シャワーフェイスカバー８０の左右側部には、上下にそれぞれ、前述したシャワーフェイス７０の係止突起７８が係止される係止孔８２が設けられている。左右の係止孔８２の間隔は、シャワーフェイス７０の本体左右の幅とほぼ等しく、かつ、左右の係止突起７８の先端間の距離よりも小さく設けられている。このように構成することにより、係止孔８２を係止突起７８に係止する際に、シャワーフェイスカバー８０を弾性拡開させるようにしてシャワーフェイス７０にシャワーフェイスカバー８０を取り付け、いったん係止された係止孔８２から係止突起７８が容易には外れないように設けられている。
【００２６】
また、シャワーフェイスカバー８０の上端面からシャワーフェイスカバー８０後方に向かって舌片８６が突設されており、この舌片８６に、シャワーヘッド１の収容室６の開口部７付近の上部壁面から突設される「凸部」状の係止突起９が係止される「凹部」状の係止孔８８が開設されている。舌片８６に係止孔８８が設けられることにより、舌片８６を収容室６内に装着する際に、舌片８６が撓んで係止突起９が係止孔８８に係止され易くできるように設けられている。また、シャワーフェイスカバー８０の下端内側には、収容室６の開口部７下部の「凹部」状の係止孔２０に係止される「凸部」状の係止突起９０が二つ突設されている。係止突起９０の先端は、鉤状に形成されて係止孔２０に確実に係止されるように設けられている。
【００２７】
このように構成されたシャワーフェイスカバー８０は、その左右側部に設けられた係止孔８２が本発明の「内蔵部品」であるシャワーフェイス７０の左右側部の係止突起７８に係止される。さらにまた、シャワーフェイスカバー８０の上部の舌片８６に設けられた係止孔８８が、本体２のヘッド部４の収容室６の上端に形成された係止突起９に係止される。さらにまた、シャワーフェイスカバー８０の下部に設けられた係止突起９０が、収容室６下部の係止孔２０に係止される。したがって、ねじを用いることなくシャワーフェイスカバー８０を本体２側に確実・堅固に固定できる。また、シャワーフェイスカバー８０は、正面視ほぼ矩形状に設けられており、これにねじ部を刻設して本体２側に固定する場合には、ヘッド部４の開口部７にシャワーフェイスカバー８０をはめ込むために、ねじ部を締めきった位置にてシャワーフェイスカバー８０が開口部７に正確に一致するように設ける必要がある。しかしながら、このようにねじ部を刻設することは非常に困難である。よって、本実施の形態のようにねじ部を設けて本体２側に固定することが困難な場合であっても、シャワーフェイスカバー８０を本体２側に確実・堅固に固定することができる。また、固定のために係止突起９０などを設けるだけで足り、シャワーフェイスカバー８０やシャワーフェイス７０等にねじ部を設けることによる形状の複雑化を回避することもできる。
【００２８】
また、シャワーフェイスカバー８０は、係止孔８２が、シャワーフェイスカバー８０の左右方向において係止突起７８に対して固定・解除され、一方、係止孔８８が、シャワ
ーフェイスカバー８０の上下方向において係止突起９に対して固定・解除され、また、さらに係止突起９０は、シャワーフェイスカバー８０の前後方向において係止孔２０に対して固定・解除されることとされ、それぞれ異なる係止方向において係止されているので、シャワーフェイスカバー８０に対する特定方向からの応力に対して、全ての係止孔等が外れるおそれを減少させることができる。さらにまた、本体２側の異なる部材に対して係止されているので、より一層全ての係止孔等が外れるおそれを減少させることができる。
【００２９】
なお、本発明は上記した実施の形態に限られるものではなく、本発明の趣旨の範囲内で種々の変更が可能である。例えば、シャワーフェイス７０以外の別の「内蔵部品」シャワーフェイスカバー８０を係止固定することとしても良い。また、シャワーフェイス７０の別の部位、例えば、側部ではなく上下に係止突起などを設けることとしても良い。この態様においては、ヘッド部４の収容室６の左右に係止突起などを設けることが好ましい。また、係止突起や係止孔に限らず他の係止手段でも良い。
【図面の簡単な説明】
【００３０】
【図１】本発明のシャワーヘッドのカバーの固定構造を用いたシャワーヘッドの要部分解斜視図である。
【図２】本発明のシャワーヘッドのカバーの固定構造を用いたシャワーヘッドの側面視縦断面図である。
【図３】従来のシャワーヘッドのカバーの固定構造を用いたシャワーヘッドの要部正面図である。
【図４】別の従来のシャワーヘッドのカバーの固定構造を用いたシャワーヘッドの要部正面図である。
【符号の説明】
【００３１】
１；シャワーヘッド、２；本体、３；把持部、４；ヘッド部、５；取付孔、６；収容室、７；開口部、８；段部、９；係止突起、１０；ジョイント、１１；ブッシュ、１２；周溝、１３；凹部、１４；接続口、１６；突起、１７；係止突条、１８；接続口、２０；係止孔、３０；パイプ、３２；基端側接続部、３３；シール部材、３４；屈曲部、３５；先端側接続部、３６；突条、３８；ストレート部、４０；突条、５０；インナー、５２；接続部、５４；シール部材、５６；ストレーナ、５８；凹部、６０；開口部、６２；流入室、７０；シャワーフェイス、７２；底部開口部、７４；フェイス部、７６；散水孔、７８；係止突起、８０；シャワーフェイスカバー、８２；係止孔、８４；開口部、８６；舌片、８８；係止孔、９０；係止突起、１００；シャワーフェイス、１０２；ねじ、１０４；シャワーヘッド、１０６；本体、１０８；シャワーフェイス、Ｘ；固定構造。
【図１】
2007312829.tif 000003
【図２】
2007312829.tif 000004
【図３】
2007312829.tif 000005
【図４】
2007312829.tif 000006